(57)【特許請求の範囲】
【請求項１】
相互に嵌合可能な第１のハウジングと第２のハウジングから成り、前記第１のハウジングに前記第２のハウジングを結合及び解除するための回動レバーを備えたレバー式コネクタにおいて、前記回動レバーの頂部に外側にそれぞれ突出した案内面を有し可撓性を持つ一対の錠止用爪部を設け、前記第２のハウジングには上方から前記錠止用爪部を嵌入したときそれぞれの前記案内面が潜り抜けることにより錠止する錠止用枠部を設け、該錠止用枠部に錠止した前記錠止用爪部の前記案内面を内側に押圧することにより解除を行う可撓性を持つ左右一対の錠止解除用アームを前記錠止用枠部の下部に設けたことを特徴とするレバー式コネクタ。
【請求項２】
前記錠止解除用アームは一端を前記第２のハウジングに固定し、他端を自由端とし、該自由端を押すことにより前記案内面を押圧するようにした請求項１に記載のレバー式コネクタ。
【請求項３】
前記錠止解除用アームの自由端の上面に操作方向を示す矢印を施した請求項２に記載のレバー式コネクタ。
【発明の詳細な説明】
【０００１】
【発明の属する技術分野】
本発明は、多数の接続端子をそれぞれ収容した一対のハウジングをレバーによって結合及び解除するためのレバー式コネクタに関するものである。
【０００２】
【従来の技術】
多数の接続端子を収容した一対のハウジング同士を結合及び解除するには多大の力を必要とするため、レバー式コネクタを用いることが多い。従来のレバー式コネクタでは、一方のハウジングに他方のハウジングを結合及び解除するための回動レバーを設けている。また、他方のハウジングの側面には回動レバーにより駆動されるピン部を設け、一方のハウジングの側面にはピン部を導入するためのストレート溝を設け、回動レバーにはピン部を駆動するためのカム溝を設けている。
【０００３】
これらのハウジング同士を結合する際には、双方のハウジングを初期位置に嵌合してピン部をストレート溝とカム溝の入口内に位置させた後に、回動レバーを回動してピン部をカム溝よって駆動して、他方のハウジングを一方のハウジング側に引き寄せ、回動レバーを最終位置に回動して双方のハウジングを最終位置に結合する。
【０００４】
そして、従来のレバー式コネクタは、双方のハウジングを最終位置に結合すると共に、回動レバーを錠止するための錠止手段を備えており、この錠止手段については種々の方法が提案されている。
【０００５】
【発明が解決しようとする課題】
しかしながら何れの錠止手段においても、複雑な構成で部品点数が多い上に、簡素な構成で確実に錠止及び解除をなし得る構造のものは少ない。
【０００６】
本発明の目的は、上述の問題点を解消し、簡素な構成でありながら回動レバーの錠止及び解除を確実に実施可能とするレバー式コネクタを提供することにある。
【０００７】
【課題を解決するための手段】
上記目的を達成するための本発明に係るレバー式コネクタは、相互に嵌合可能な第１のハウジングと第２のハウジングから成り、前記第１のハウジングに前記第２のハウジングを結合及び解除するための回動レバーを備えたレバー式コネクタにおいて、前記回動レバーの頂部に外側にそれぞれ突出した案内面を有し可撓性を持つ一対の錠止用爪部を設け、前記第２のハウジングには上方から前記錠止用爪部を嵌入したときそれぞれの前記案内面が潜り抜けることにより錠止する錠止用枠部を設け、該錠止用枠部に錠止した前記錠止用爪部の前記案内面を内側に押圧することにより解除を行う可撓性を持つ左右一対の錠止解除用アームを前記錠止用枠部の下部に設けたことを特徴とする。
【０００８】
【発明の実施の形態】
図１は本発明に先立つ参考例のレバー式コネクタの分解斜視図である。このレバー式コネクタはほぼ左右対称とされ、相互に嵌合可能な合成樹脂製の第１のハウジング１と第２のハウジング２から構成されている。第１のハウジング１には、第２のハウジング２を第１のハウジング１側に引き寄せ又は押し出すための合成樹脂製の回動レバー３が備えられている。
【０００９】
なお、この参考例で使用する第１のハウジング１と第２のハウジング２の「前方」は嵌合方向、即ち第１のハウジング１の「前方」は第２のハウジング２が位置する方向を示し、第２のハウジング２の「前方」は第１のハウジング１が位置する方向を示すことにする。
【００１０】
第１のハウジング１の内部には、図示しない接続端子を収容した多数の端子収容孔１１が設けられている。第１のハウジング１の両側面には、回動レバー３を回動自在に支持するための支持ピン１２がそれぞれ突設されていると共に、第２のハウジング２の後述の被駆動ピンを導き入れるストレート溝１３がそれぞれ形成されている。また、第１のハウジング１の両側面には、回動レバー３の時計回り方向への所定以上の回動を規制して、回動レバー３を初期位置に保持する規制ピン１４がそれぞれ突設されている。
【００１１】
第２のハウジング２の内部には、第１のハウジング１内の接続端子と接続可能な図示しない接続端子を収容した多数の端子収容孔１５が形成されている。そして、第２のハウジング２の両側面には、回動レバー３によって駆動される被駆動ピン１６が、第１のハウジング１のストレート溝１３に進入可能にそれぞれ突設されている。
【００１２】
回動レバー３は、第１のハウジング１の支持ピン１２に回動自在に支持された左右のレバー本体部２１と、これらのレバー本体部２１の上部同士を連結する連結部２２とからコ字状に形成されている。レバー本体部２１には、第２のハウジング２の被駆動ピン１６を駆動するためのカム溝２３と、回動レバー３が時計回り方向に回動した際に規制ピン１４に当接する規制用突起２４とが形成されている。
【００１３】
ここで、回動レバー３の連結部２２の前面の中央には、左右一対の可撓部２５を介して鉤部を外側に向けた左右一対の錠止用爪部２６がそれぞれ一体に設けられている。これらの可撓部２５と錠止用爪部２６は、第２のハウジング２の錠止用ビームに上方から係合し得るように設けられている。そして、錠止用爪部２６は外側を向けて突設され、その外面は案内面２６ａとされている。
【００１４】
一方、第２のハウジング２の上面には、前後方向に長い支持板３１と左右方向に長い支持台３２とが設けられている。支持板３１の前面と支持台３２の後面は一体とされ、支持板３１の上面と支持台３２の上面は水平な同一平面内に設けられている。
【００１５】
そして、支持片３１の上面の後部には、左右方向に長い支持用ビーム３３の中間部が支持されている。この支持用ビーム３３の両端部には、回動レバー３の錠止用爪部２６を錠止するための左右一対の錠止用ビーム３４が前方に向けて支持され、錠止用ビーム３４の前端は支持台３２に一体とされている。
【００１６】
図２の斜視図及び図３の側面図に示すように、第１のハウジング１と第２のハウジング２の結合に際しては、回動レバー３を時計回り方向に回転してその規制用突起２４を第１のハウジング１の規制ピン１４に当接させる。これにより、第１のハウジング１のストレート溝１３の入口と回動レバー３のカム溝２３の入口が整合する。
【００１７】
次に、第１のハウジング１と第２のハウジング２を初期位置に嵌合すると、第１のハウジング１内の接続端子と第２のハウジング２内の接続端子が初期的に接触すると共に、第２のハウジング２の被駆動ピン１６が第１のハウジング１のストレート溝１３と回動レバー３のカム溝２３とに若干進入する。
【００１８】
この状態で、回動レバー３を反時計回り方向に回動すると、回動レバー３のカム溝２３の前壁が第２のハウジング２の被駆動ピン１６を駆動し、てこ作用により第２のハウジング２を第１のハウジング１側に引き寄せる。これにより、図４に示すように第１のハウジング１と第２のハウジング２が最終位置に結合すると共に、第１のハウジング１内の接続端子と第２のハウジング２内の接続端子同士が最終的に接続する。
【００１９】
更に、また、回動レバー３を押下すると、錠止用爪部２６の案内面２６ａが第２のハウジング２の錠止用ビーム３４の内面にそれぞれ当接し、錠止用爪部２６の案内面２６ａが錠止用ビーム３４の内面を摺動する。このとき、回動レバー３の可撓部２５が内方に撓み、図５に示すように錠止用爪部２６が錠止用ビーム３４を乗り越えると可撓部２５が復元し、衝突音を発すると共に錠止用爪部２６と錠止用ビーム３４が係合する。
【００２０】
他方、第１のハウジング１と第２のハウジング２の結合を解除する際には、図６に示すように錠止状態にある左右の錠止用爪部２６を左右方向から手指Ｆで摘み、内方に移動させて錠止用ビーム３４との錠止状態を解除し、回動レバー３を時計回り方向に回動する。これにより、回動レバー３のカム溝２３の後壁が被駆動ピン１６を駆動し、第２のハウジング２を第１のハウジング１から押し出す。
【００２１】
この参考例では、回動レバー３に左右一対の可撓部２５を介して左右一対の錠止用爪部２６をそれぞれ設けると共に、第２のハウジング２には前後方向を向いて錠止用爪部２６を解除自在にそれぞれ錠止する左右一対の錠止用ビーム３４を設けたので、錠止用ビーム３４は従来の錠止用可撓片のように撓むことなく錠止用爪部２６を確実に錠止でき、回動レバー３の錠止状態を確実に維持できる。
【００２２】
また、錠止用爪部２６は回動レバー３に一体に設けると共に、錠止用ビーム３４は第２のハウジング２に一体に設けたので、部品点数の減少と製造コストの削減が可能となる。そして、錠止用爪部２６と錠止用ビーム３４が外部から明瞭に視認できるので、それらが半錠止状態にあるのか完全錠止状態にあるのかを目視で確認できる。更に、錠止用爪部２６と錠止用ビーム３４は完全錠止する際に音を発生するので、それらが錠止する際のフィーリングを向上させることができる。
【００２３】
図７は実施例の斜視図であり、第２のハウジング２’には錠止用爪部２６と錠止用ビーム３４の錠止状態を容易に解除できるようにするための左右一対の錠止解除用アーム３５が設けられている。これらの錠止解除用アーム３５は、支持台３２の例えば前面から弯曲部３５ａを介して後方に向けて設けられ、錠止解除用アーム３５の後端が自由端とされている。そして、錠止解除用アーム３５の上面には、必要に応じて錠止解除の際の操作方向を示す矢印３６が施されている。
【００２４】
錠止用爪部２６と錠止用ビーム３４の錠止状態を解除する際には、図６と同様に左右の錠止解除用アーム３５を左右方向から手指Ｆで摘み、錠止用爪部２６を矢印３６が示す方向に移動させて錠止用ビーム３４との錠止状態を解除し、回動レバー３を時計回り方向に回動すればよい。
【００２５】
この実施例では、回動レバー３と第２のハウジング２との錠止状態を参考例と同様に確実に維持できる上に、参考例のように錠止用爪部２６を手指Ｆで直接押さえ込むことなく、錠止解除用アーム３５により錠止用爪部２６を変形させ、錠止用ビーム３４との錠止状態を容易に解除できる。また、錠止解除用アーム３５に矢印３６を設けると共に錠止解除用アームを設けたので、錠止解除の際の操作方向を明瞭に判らせることができる。
【００２６】
【発明の効果】
以上説明したように本発明に係るレバー式コネクタは、回動レバーの頂部に可撓部を有する一対の錠止用爪部を設け、第２のハウジングには錠止用爪部をそれぞれ錠止する錠止用枠部、錠止解除用アームを設けたので、簡素な構造で錠止用爪部を確実に錠止及び解除できる。
【図面の簡単な説明】
【図１】  参考例の分解斜視図である。
【図２】  ハウジング同士を初期位置に嵌合した状態の斜視図である。
【図３】  側面図である。
【図４】  ハウジング同士を最終位置に結合した状態の側面図である。
【図５】  回動レバーと第２のハウジングの錠止状態の側面図である。
【図６】  回動レバーと第２のハウジングの錠止状態を解除する際の説明図である。
【図７】  実施例の斜視図である。
【符号の説明】
１、２、２’  ハウジング
３  回動レバー
１３  ストレート溝
１４  被駆動ピン
２３  カム溝
２５  可撓部
２６  錠止用爪部
３１  支持板
３２  支持台
３３  支持用ビーム
３４  錠止用ビーム
３５  錠止解除用アーム
３６  矢印
【図１】
0004011883.tif 000002
【図２】
0004011883.tif 000003
【図３】
0004011883.tif 000004
【図４】
0004011883.tif 000005
【図５】
0004011883.tif 000006
【図６】
0004011883.tif 000007
【図７】
0004011883.tif 000008